(57)【要約】【課題】本発明は、筐体を構成する側板と天板の形状構造の簡素化を保持しながら、運搬時における荷重の分散化を図り、取付け作業性の容易化を得られる取っ手構造を備えた空気調和機の室外機を提供する。【解決手段】外郭を構成する筐体１が、側板３と底面部とを備え天面が開口する本体部４と、側板上端に嵌り合い側板に取付け固定される周縁部５ａと天面を閉塞する天面部５ｂを備えた天板５とからなり、取っ手１０は天板の周縁部と側板上端との間に介設され、側板は上端縁から離間した下方部位に開口部１２を備え、天板は周縁部下端縁から互いに略ハの字状に傾斜する一対の傾斜辺ｄと天面部と並行な上辺ｅとからなる切欠部１４を備え、取っ手は組立てた状態で側板と天板周縁部から外方へ突出する指掛け部２０と、指掛け部の基端から上方へ延設され天板の切欠部に掛合する段差部２４を有する受け用突部２１と、指掛け部の基端から下方へ延設され側板開口部に挿入する係合突部２２を備える。【選択図】      図９
2010185640.tif 000002
【特許請求の範囲】
【請求項１】
側板と底板とを備え天面が開口する本体部と、この本体部の側板上端に嵌り合い側板に取付け固定される周縁部および上記天面を閉塞する天面部を備えた天板と、からなり外郭を構成する筐体と、
上記天板の周縁部と、側板上端との間に介設される取っ手とを具備し、
上記側板は、この上端縁から離間した下方部位に開口部を備え、
上記天板の周縁部は、この下端縁から互いに略ハの字状に傾斜する一対の傾斜辺と、これら傾斜辺の上端相互に亘り天面部と並行な上辺とからなる切欠部を備え、
上記取っ手は、
組立てた状態で上記側板と天板周縁部から外方へ突出し、手指を引掛けるための指掛け部と、
この指掛け部の基端から上方へ延設され、上記天板の切欠部に掛合する段差部を有する受け用突部と、
指掛け部の基端から下方へ延設され、上記側板の開口部に挿入し、この開口部に嵌め込まれる係合突部と、
を備えたことを特徴とする空気調和機の室外機。
【請求項２】
上記取っ手の係合突部は、左右幅方向に沿って所定の間隔を存し、かつ上下方向に亘って並設される複数条の縦リブを備えたことを特徴とする請求項１記載の空気調和機の室外機。
【請求項３】
上記縦リブは、係合突部から上記受け用突部に亘って延設され、中途部に上記側板開口部状端縁に掛止する段部を備えたことを特徴とする請求項２記載の空気調和機の室外機。
【請求項４】
上記縦リブは、この左右両側部に、上記側板開口部の左右側縁に掛合する横リブが一体に突設されることを特徴とする請求項２記載の空気調和機の室外機。
【請求項５】
上記取っ手の受け用突部は、この左右両側部上端に、上記側板上端縁に掛合する引掛け片を備えたことを特徴とする請求項１記載の空気調和機の室外機。
【発明の詳細な説明】
【技術分野】
【０００１】
本発明は、空気調和機の室外機に係り、特に、筐体に対する取っ手の取付け構造の改良に関する。
【背景技術】
【０００２】
空気調和機の室外機においても、運搬の際に、作業者の手指を引っ掛けるための取っ手が必要である。通常、筐体は板金製もしくは樹脂モールド製であり、構造の簡素化を図るために、筐体とは別体に取っ手を製作しておき、完成した取っ手を筐体に取付け固定している。
【０００３】
たとえば、［特許文献１］には、筐体における表面パネル（外郭ケース）に設けた挿入孔に、運搬用の袋取っ手を押込み状態に取付けた構造が開示されている。この発明の特徴は、取っ手の下部と表面パネルとの結合部に、雨水の水切り機能を持たせた弾性掛止片を一体に付設することにある。
【０００４】
また、［特許文献２］には、樹脂成形品で製作される取っ手が開示されていて、略長方形形状の平面部を備え、この平面部の表面側で中央部手前方向に凸形状の運搬用の指掛け部が配設される。上記指掛け部は、手指の第２関節まで指掛けできる寸法を確保している、とある。
【０００５】
この発明の特徴は、室外機の側板に開口部を設け、この開口部の上縁と下縁に舌片を設ける一方で、取っ手の平面部内面側に係合片を設けている。そして、取っ手を側板開口部に押し当てたあと、左右にスライドして舌片と係合片を係合し、取っ手を側板に取付けることにある。
【先行技術文献】
【特許文献】
【０００６】
【特許文献１】特開平４−１８７９２０号公報
【特許文献２】特開２００１−２０８３７７号公報
【発明の概要】
【発明が解決しようとする課題】
【０００７】
しかしながら、［特許文献１］の取っ手は筐体内に突出していて、手指を引掛けるのに必要な長さを確保する分、筐体の大型化を招く。さらに、取っ手を持ったとき、室外機の全重量が取っ手から天板にかかる。したがって、天板の板厚を分厚くして強度を高める必要があり、その反面、コストアップに繋がってしまう。
【０００８】
［特許文献２］の取っ手は、取っ手を持ったときの室外機全重量を、取っ手から天板や側板に分散させ、負荷を軽減できる。ただし、側板に複数の舌片を設け、取っ手に複数の係合片を設けることから、これらの構造が複雑化し金型や部品加工に係る費用が増大するとともに、取っ手の平面部が側板表面に大きく露出して外観が損なわれている。
【０００９】
本発明は上記事情に着目してなされたものであり、その目的とするところは、筐体を構成する側板と天板の形状構造の簡素化を保持しながら、取っ手の取付け作業性の容易化を図り、運搬時における荷重の分散化を図って安全性の向上を得られる、取っ手構造を備えた空気調和機の室外機を提供しようとするものである。
【課題を解決するための手段】
【００１０】
本発明における空気調和機の室外機は、外郭を構成する筐体が、側板と底面部とを備え天面が開口する本体部と、この本体部の側板上端に嵌り合い側板に取付け固定される周縁部および天面を閉塞する天面部を備えた天板とからなり、取っ手は天板の周縁部と側板上端との間に介設され、側板は上端縁から離間した下方部位に開口部を備え、天板は周縁部下端縁から互いに略ハの字状に傾斜する一対の傾斜辺とこの上端相互に亘り天面部と並行な上辺とからなる切欠部を備え、取っ手は、組立てた状態で側板と天板周縁部から外方へ突出し手指を引掛けるための指掛け部と、指掛け部の基端から上方へ延設され天板の切欠部に掛合する段差部を有する受け用突部と、指掛け部の基端から下方へ延設され側板の開口部に挿入し嵌め込まれる係合突部を備えている。
【発明の効果】
【００１１】
本発明によれば、天板と側板の形状構造を簡素化したうえで取っ手の取付け作業性が容易化し、かつ取っ手を握って室外機を持ち上げた際に、室外機全重量を天板と側板へ分散して安全性の向上を得られる空気調和機の室外機を提供しようとするものである。
【図面の簡単な説明】
【００１２】
【図１】本発明の一実施形態に係る、空気調和機の室外機の外観を示す斜視図。
【図２】同実施の形態に係る、側板の一部斜視図。
【図３】同実施の形態に係る、側板に天板を取付けた状態の一部斜視図。
【図４】同実施の形態に係る、取っ手の外観斜視図と、取っ手の縦断面図と、取っ手の内面側の斜視図。
【図５】同実施の形態に係る、取っ手を側板に取付ける作業を説明する図。
【図６】同実施の形態に係る、側板に取っ手を取付けた状態の側板外面側から見た斜視図。
【図７】同実施の形態に係る、側板に取っ手を取付けた状態の側板内面側から見た斜視図。
【図８】同実施の形態に係る、取っ手を取付けた空気調和機室外機の一部斜視図。
【図９】同実施の形態に係る、取っ手を取付けた空気調和機室外機の一部縦断面図。
【発明を実施するための形態】
【００１３】
以下、本発明の一実施形態に係る空気調和機の室外機について、図面にもとづいて説明する。なお、各図において適宜構成を概略的に示している。  
図１は空気調和機の室外機Ｓの外観斜視図である。
【００１４】
室外機Ｓは、たとえば金属板金製または樹脂モールド成形品であって、外郭を構成する矩形箱状の筐体１と、この筐体１内に収容される室外熱交換器２のほか、図示しない送風機、圧縮機などを備えて構成されている。
【００１５】
筐体１は、平面視で矩形状に形成される前後左右面部をなす側板３と、この側板３の下端に一体に連設される底面部からなり、天面が開口する本体部４と、この本体部４の側板３上端に後述するように嵌り合い、本体部４の天面開口部を閉塞する天板５とから構成される。
【００１６】
筐体１の側板３前面部にはグリル６が嵌め込まれた吹出し口７が設けられていて、この吹出し口７に対向する筐体１内部に上記送風機が配置される。側板３の一側面と、側板３の図示しない背面には、複数の横桟で仕切られた吸込み口８が設けられていて、これら吸込み口８に対向する筐体１内部に上記室外熱交換器２が配置される。
【００１７】
上記天板５は、側板３上端に嵌り合い、取付けねじ等の取付け具９を介して側板３に取付け固定される周縁部５ａと、本体部４の天面を閉塞する天面部５ｂとから構成される。筐体１の左右両側面で、この上部である天板周縁部５ａと本体部側板３上端との間には、取っ手１０が設けられている。図１では、左側部の取っ手１０のみ示している。
【００１８】
以下、筐体１に対する取っ手１０の取付け構造および、取っ手１０自体の構造について詳述する。  
図２は側板３の上端一部を拡大して示す斜視図であり、図３は側板３上端に天板５が嵌め込まれた状態の一部斜視図である。
【００１９】
側板３の上端は、吸込み口８が設けられる部分から上方部位は、一段内側に引っ込んだ段部３ａとなっている。特に、側板３の側面における段部３ａは、互いに逆ハの字状に傾斜する一対の傾斜辺ａと、これら傾斜辺ａの下端相互に亘り側板３上端縁と並行な下辺ｂから凹陥形成される。
【００２０】
段部３ａから側板３上端縁までの間は、段部３ａから下方部位の板面と並行な平面の板部３ｂである。この板部３ｂ側面で、段部３ａの凹陥形成と対向する部位に、上下方向寸法がＡ、左右幅寸法がＢの横長矩形状の開口部１２が設けられる。
【００２１】
そして、板部３ｂには、開口部１２の左右側部から離れた部位に、矩形状のねじ座１３が外面側に突設されていて、それぞれのねじ座１３の略中央部に、ねじ孔１３ａが設けられる。
【００２２】
一方、天板５の周縁部５ａの全周に亘る下端は、内側に湾曲状に曲げ加工された湾曲部ｃ（後述する図９にのみ示す）が形成される。湾曲部ｃは、天板周縁部５ａを側板３上端に嵌合する際のガイドの機能を有していて、この状態で図３に示すように、天板周縁部５ａの外面と、側板段部３ａから下部側の側板３外面が面一となる。
【００２３】
開口部１２と凹陥状の段部３ａを備えた側板３側面と対向する天板周縁部５ａの側面には、側板段部３ａの凹陥部分と対称位置に、対称状の切欠部１４が設けられる。すなわち、切欠部１４は、周縁部５ａ下端から互いに略ハの字状に傾斜する一対の傾斜辺ｄと、これら傾斜辺ｄの上端相互に亘り天板天面部５ｂと並行な上辺ｅとからなる。
【００２４】
天板周縁部５ａが側板３上端に嵌め込まれた状態で、天板５の切欠部１４と、側板段部３ａの凹陥部分とに囲まれた部位に、側板３の板部３ｂに設けられる上記開口部１２が見える。
【００２５】
天板切欠部１４の傾斜辺ｄから所定間隔だけ離間した側方部位に矩形状の凹陥部１５が形成され、それぞれの凹陥部１５に取付け用孔１５ａが設けられる。天板周縁部５ａを側板３上端に嵌め込むことにより、天板５の凹陥部１５が側板３のねじ座１３に当接し、凹陥部１５の取付け用孔１５ａがねじ座１３のねじ孔１３ａに連通するようになっている。
【００２６】
つぎに、取っ手１０について詳述する。  
図４（Ａ）は取っ手１０の外面側の斜視図であり、図４（Ｂ）は取っ手１０の縦断面図であり、図４（Ｃ）は取っ手１０の内面側の斜視図である。
【００２７】
取っ手１０は、側板３上端と天板周縁部５ａとの間に介設された状態で、これら側板３と天板周縁部５ａの外面から外方へ突設される指掛け部２０および、この指掛け部２０の基端から上方へ延設される受け用突部２１と、指掛け部２０の基端から下方へ延設される係合突部２２を備えている。
【００２８】
全て後述するが、上記指掛け部２０は作業者の手指を引掛けるよう構成され、上記受け用突部２１は天板５の切欠部１４と嵌め合うよう構成され、上記係合突部２２は側板３の開口部１２に嵌め込まれる。
【００２９】
すなわち、上記指掛け部２０は、下面側から作業者の手指が挿入するのに充分な幅寸法と突出量をなすよう、下面が開放された凹陥状をなす。指掛け部２０の隅部および角部の全てが、挿入された手指に対して負担とならないよう、断面湾曲状に形成されている。
【００３０】
上記受け用突部２１は、指掛け部２０基端から上方と斜め上方へ所定間隔離れた部位に、奥側へ向って突出する段差部２４を有する。段差部２４は、下端から互いに略ハの字状に傾斜する一対の傾斜辺ｆと、これら傾斜辺ｆの上端相互に亘る上辺ｇとからなり、これらの寸法形状は天板周縁部５ａに設けられる切欠部１４の形状寸法と同一である。
【００３１】
しかも、段差部２４の突出量は側板３上端の段部３ａの突出量と同一であり、かつ天板周縁部５ａ下端の湾曲部ｃの厚さ寸法とも同一である。段差部２４より奥側は平面部２１ａとなっていて、平面部２１ａは段差部２４の上辺ｇよりわずかに上部へ突出し、傾斜辺ｆよりも側方へ突出している。
【００３２】
上記平面部２１ａの左右両側部は、この上端からさらに垂直上方へ延び、この先端において奥方へ湾曲成される一対の引掛け片２１ｂが一体に設けられる。すなわち、これら引掛け片２１ｂは、それぞれ爪状をなしている。
【００３３】
上記段差部２４の上辺ｇより上部の平面部２１ａ内面側に、左右に離間して一対のスペーサ２５が取付けられている。これらスペーサ２５は、側板３板厚と略同一の板厚であり、わずかな縦寸法と比較して幅方向がごく長い横長状をなし、互いに離間して取付けられる。
【００３４】
上記係合突部２２は、指掛け部２０の基端から一旦水平方向に突出する水平片部２２ａと、水平片部２２ａの突出端において鉛直下方に折曲される垂下片部２２ｂとを備えている。
【００３５】
特に図４（Ｂ）に示すように、垂下片部２２ｂの外面側には、この幅方向に亘って掛止用凹部ｈが設けられる。掛止用凹部ｈは、上記側板段部３ａに凹陥形成される下辺ｂから上部の板部３ｂが嵌り合う上下寸法と深さ寸法に形成される。
【００３６】
図４（Ａ）、（Ｃ）に示すように、係合突部２２の内面には複数の縦リブ２６が、係合突部２２の左右幅方向に沿って所定の間隔を存し、かつ上下方向に亘って一体に並設される。
【００３７】
なお説明すると、これら縦リブ２６は、係合突部２２を構成する垂下片部２２ｂの下端から突出して上方へ延設され、水平片部２２ａ上面から上方へ延び、受け用突部２１内面を介して平面部２１ａ下面に連設される。また、垂下片部２２ｂの中途部から突出し、水平片部２２ａと受け用突部２１を介して平面部２１ａ下面に連設されるものがある。
【００３８】
垂下片部２２ｂ内面の上下方向略中間部において、左右幅方向に亘って補助リブ２７が一体に突設される。上記した後者の、垂下片部２２ｂの中途部から設けられる縦リブ２６の下端が補助リブ２７に連設される。また、前者の、垂下片部２２ｂ下端から設けられる縦リブ２６は、補助リブ２７と交差して設けられる。
【００３９】
ここでは、下端が補助リブ２７と連設される縦リブ２６は、垂下片部２２ｂの左右両側部と中央部に設けられる。下端が垂下片部２２ｂ下端と同一位置にあり中途部が補助リブ２７と交差する縦リブ２６は、左右両側部と中央部の縦リブ２６間に、それぞれ２本ずつ設けられている。
【００４０】
両側部の縦リブ２６下端で、垂下片部２２ｂの板厚に沿って、断面略半円状の横リブ２８が一体に突設されている。さらに、これら横リブ２８のわずか下部側における垂下片部２２ｂ両側部は、互いに内側に切込み段部２２ｃが設けられる。垂下片部２２ｂの両側部は、切込み段部２２ｃから下端へ向って斜め内側に傾斜形成される。
【００４１】
切込み段部２２ｃを基準として上方へ所定寸法Ａだけ存した部位において、全ての縦リブ２６に段部２６ａが形成される。切込み段部２２ｃから縦リブ２６の段部２６ａまでの寸法Ａは、側板開口部１２の上下方向寸法Ａと同一である。
【００４２】
最も一側部（左側部）の縦リブ２６外面から、最も他側部（右側部）縦リブ２６外面に亘る間隔寸法Ｂは、側板開口部１２の左右幅寸法Ｂと同一である。したがって、垂下片部２２ｂにおいては、左右の横リブ２８の突出分だけ、開口部１２の左右幅寸法Ｂよりも大に形成されることになる。
【００４３】
縦リブ２６の段部２６ａは、受け用突部２１の内面に対向する位置に設けられていて、この段部２６ａから上部側よりも、段部２６ａから下部側の受け用突部２１内面からの突出寸法が大に形成される。なお、垂下片部２２ｂの下端部で、この外側の面は、下方ほど内側に位置するように傾斜するテーパ面ｉに形成される。
【００４４】
つぎに、空気調和機の室外機Ｓを構成する筐体１に対する取っ手１０の組立て手順について説明する。  
図５は取っ手１０を側板３に取付ける手順を説明する図であり、図６は側板３に取っ手１０を取付けた状態で側板３外面側から見た斜視図、図７は同状態を側板３内面側から見た斜視図である。
【００４５】
はじめに、図５に示すように取っ手１０の垂下片部２２ｂ下端を奥側に、受け用突部２１の引掛け片２１ｂを手前側に傾斜させて、垂下片部２２ｂ下端を側板３の開口部１２に対向し、そのまま垂下片部２２ｂを開口部１２に挿入する。
【００４６】
このとき、垂下片部２２ｂの下端がテーパ面ｉであり、かつ垂下片部２２ｂの左右両側部が下端に向って斜め内側に傾斜形成されているから、側板開口部１２に垂下片部２２ｂを挿入する際の作業をスムーズに行える。
【００４７】
垂下片部２２ｂを完全に開口部１２に挿入したら、取っ手１０を矢印Ｒで示す方向に向かって回動する。取っ手１０が略垂直となったら、取っ手１０を下方に移動して引掛け片部２１ｂを側板３の板部３ｂ上端縁に引っ掛ける。図６、図７に示すように、取っ手１０が側板３の板部３ｂに沿って鉛直方向に起立する。
【００４８】
この状態で、取っ手１０の引掛け片部２１ｂが側板３の板部３ｂ上端縁に掛止され、かつ平面部２１ａ内面に取付けられる一対のスペーサ２５が板部３ｂに密接する。当然ながら、スペーサ２５が取付けられていない平面部２１ａ内面部位と、板部３ｂ外面部位との間には、スペーサ２５の厚み分の間隙が形成されることになる。
【００４９】
同時に、取っ手１０の係合突部２２が側板３の開口部１２に挿入され、嵌め込まれる。すなわち、切込み段部２２ｃから縦リブ２６の段部２６ａまでの寸法Ａと、開口部１２の上下方向寸法Ａとが同一であるので、縦リブ段部２６ａが開口部１２上端縁に当接し、切込み段部２２ｃが開口部１２下端縁に当接する。
【００５０】
また、左右両側部の縦リブ２６外面間寸法Ｂと、開口部１２の左右幅寸法Ｂが同一であるので、そのままでも左右両側部の縦リブ２６が開口部１２の左右両側縁に嵌め込まれる。ここでは、左右両側部の縦リブ２６下端に横リブ２８が設けられているので、これら横リブ２８が開口部１２の左右両側縁に嵌め込まれる。
【００５１】
特に図７に示すように、側板開口部１２から側板３の内面側に、段部２６ａから下部側の縦リブ２６部分と、受け用突部２１の一部と、係合突部２２の水平片部２２ａおよび、垂下片部２２ｂが突出する。切込み段部２２ｃから下部側の垂下片部２２ｂ部分は開口部１２下端縁を越えて下方に突出し、側板３内面に密接する。
【００５２】
ここでは図示していないが、取っ手係合突部２２前面に形成される掛止用凹部ｈに、側板３の板部３ｂ一部が嵌め込まれる。なお説明すると、段部３ａに形成される下辺ｂよりも上部にある板部３ｂのみが部分的に掛止用凹部ｈに掛合する。したがって、正確には開口部１２の下端縁に切込み段部２２ｃと掛止用凹部ｈが掛止することになる。
【００５３】
このようにして、取っ手１０は、引掛け辺２１ｂが側板３上端に掛止するとともに、側板開口部１２の全周縁に係合突部２２の構成部位が嵌合することで、取っ手１０は側板３に対して上下方向は勿論、左右幅方向にもガタの無い状態で密に取付けられる。そのあと、天板５を上方から側板３上端に被せる。
【００５４】
図８は側板３に天板５を被せた状態の一部斜視図であり、図９は側板３に天板５を被せた状態の一部縦断面図である。  
天板５の周縁部５ａを側板３の上方部位に対向し、かつ降下して側板３の上端に被せる。天板周縁部５ａに設けられる切欠部１４を除く周縁部５ａ全周下端は、側板３の段部３ａ上に載り、周縁部５ａ外面と側板３外面とは面一になる。
【００５５】
天板周縁部５ａに設けられる凹陥部１５は側板板部３ｂに設けられるねじ座１３に対向し、ねじ座１３のねじ孔１３ａと凹陥部１５の取付け用孔１５ａが対向する。別途用意した取付け具９（図１のみに示す）を取付け用孔１５ａに挿入し、ねじ孔１３ａに螺挿することで、天板５は側板３に確実に取付け固定される。
【００５６】
このとき既に、取っ手１０は側板３に確実に取付け固定されているので、天板周縁部５ａを側板３上端に嵌め込む作業の際に、取っ手１０が邪魔にならないことは勿論、側板３から外れないことは言うまでもない。
【００５７】
天板周縁部５ａを側板３上端に被せることで、天板周縁部５ａの切欠部１４が取っ手受け用突部２１の段差部２４に掛合する。上述したように、引掛け片部２１ｂが側板３上端に掛止し、平面部２１ａのスペーサ２５が側板３の外面に密着し、係合突部２２が開口部１２に嵌合し、垂下片部２２ｂの掛止用凹部ｈに板部３ｂが掛止している。
【００５８】
完成した室外機Ｓを運搬するために、取っ手１０の指掛け部２０に手指を掛けて室外機Ｓを持ち上げる。このとき取っ手１０を介して筐体１に荷重がかかる。詳しくは構造上、取っ手１０が取付けられる天板周縁部５ａと側板１０に分散して荷重が掛かることとなり、安全性を確保できる。
【００５９】
なお説明すると、天板周縁部５ａの切欠部１４は、互いに略ハの字状に傾斜する一見の傾斜辺ａと、これら傾斜辺ａの上端相互に亘り天面部５ｂと並行な上辺ｂとから形成される。取っ手段差部２４も互いに略ハの字状に傾斜する一見の傾斜辺ｆと、これら傾斜辺ｆの上端相互に亘り平面部２１ａ上端と並行な上辺ｇとから形成されている。
【００６０】
取っ手１０を持上げることで、これら切欠部１４と段差部２４との掛合部分に荷重が掛かる。しかしながら、上辺ｄ、ｇ相互の掛合ばかりでなく左右の傾斜辺ｂ、ｆ相互の掛合であるところから、荷重が分散される。天板５とともに取っ手１０にも無理がかからずにすみ、これらの変形の虞れが無い。
【００６１】
同時に、取っ手１０の係合突部２２から側板開口部１２との掛合部分に荷重が掛かる。実際には、係合突部２２を構成する縦リブ２６の段部２６ａに荷重が掛かっていて、縦リブ２６は係合突部２２の左右幅方向に所定間隔を存して複数枚設けられ、この上端は受け用突部２１の上端まで延設されている。
【００６２】
このような縦リブ２６であるから、荷重を分散して受けることとなり、取っ手１０とともに側板３にも無理がかからずにすみ、これらの変形の虞れが無い。結局、取っ手１０を持って室外機Ｓを持ち上げても、何らの支障も無く円滑に作業を行える。
【００６３】
なお、縦リブ２６は係合突部２２内面に設けられるばかりでなく、受け用突部２１の平面部２１ａ下面まで延設したが、これに限定されるものではなく、単に係合突部２２内面に設けただけであっても、室外機Ｓの重量を支持し分散させるのに充分な強度を保持することは勿論である。
【００６４】
以上のように取っ手１０周りの組立てがなされ、取っ手１０が取付けられるので、取っ手１０の筐体１への取付け性が良く、少しのガタも無い。しかも、天板周縁部５ａ外面と、側板３外面および、取っ手１０の受け用突部２１外面が全て面一状をなすとともに、周縁部５ａの切欠部１４に取っ手１０の段差部２４が掛合し、外観的に優れている。
【００６５】
実際の使用時において室外機Ｓが雨に晒され、天板５の周縁部６ａと側板３との合せ部分から雨水が浸入してきても、側板３を構成する板部３ｂがいわゆる立ち壁となり、側板３内面側への雨水の浸入をほとんど阻止する。
【００６６】
天板周縁部５ａと取っ手段差部２４との合せ部分から雨水が浸入しようとしても、取っ手平面部２１ａが立ち壁となって浸入をほとんど阻止する。たとえ雨水が平面部２１ａを乗り越えてきても、平面部２１ａ内面と側板３外面との間にスペーサ２５が介在し隙間が形成されるので、雨水は間隙に滴下し、側板３内面にはほとんど到達しないですむ。
【００６７】
なお、本発明は上記実施の形態そのままに限定されるものではなく、実施段階ではその要旨を逸脱しない範囲で構成要素を変形して具体化できる。また、上記複数の構成要素を適宜組合せて種々の発明を形成してもよい。
【符号の説明】
【００６８】
３…側板、４…本体部、５ａ…周縁部、５ｂ…天面部、５…天板、１…筐体、１０…取っ手、１２…開口部、ｄ…傾斜辺、ｅ…上辺、１４…切欠部、２０…指掛け部、２４…段差部、２１…受け用突部、２２…係合突部、２６…縦リブ、２６ａ…段部、２８…横リブ、２１ｂ…引掛け片。
【図１】
2010185640.tif 000003
【図２】
2010185640.tif 000004
【図３】
2010185640.tif 000005
【図４】
2010185640.tif 000006
【図５】
2010185640.tif 000007
【図６】
2010185640.tif 000008
【図７】
2010185640.tif 000009
【図８】
2010185640.tif 000010
【図９】
2010185640.tif 000011